(57)【要約】【課題】煩雑な設定や高度な知識を必要とせずに、撮影シーンに適したブラケット撮影が可能な撮像装置を提供する。【解決手段】撮像装置は、撮影シーンを判定する撮影シーン判定手段と、撮影シーン判定手段により判定された撮影シーンに基づいて、互いにパラメータの変更の仕方が異なる複数のブラケット撮影の中から、いずれかのブラケット撮影を選択する選択手段と、選択された一つのブラケット撮影を行う撮影手段とを有し、撮影シーンが複数のブラケット撮影のうちの２種類以上のブラケット撮影に適している場合であっても、いずれか一つのブラケット撮影を選択する。【選択図】図２
2014123809.tif 000002
【特許請求の範囲】
【請求項１】
撮影シーンを判定する撮影シーン判定手段と、
前記撮影シーン判定手段により判定された前記撮影シーンに基づいて、互いにパラメータの変更の仕方が異なる複数のブラケット撮影の中から、いずれかのブラケット撮影を選択する選択手段と、
前記選択手段により選択された前記いずれかのブラケット撮影を行う撮影手段と、を有し、
前記選択手段は、前記撮影シーン判定手段により判定された前記撮影シーンが、前記複数のブラケット撮影のうちの２種類以上のブラケット撮影に適している場合であっても、いずれか一つのブラケット撮影を選択することを特徴とする撮像装置。
【請求項２】
前記撮影シーン判定手段は、動画の表示中に、表示された画像を解析することで前記撮影シーンを判定することを特徴とすることを特徴とする請求項１に記載の撮像装置。
【請求項３】
前記撮影シーン判定手段は、被写体が人であるか否かを判定するものであって、
前記選択手段は、前記被写体が人であるか否かの判定の結果に応じて、いずれかのブラケット撮影を選択する方法を異ならせることを特徴とする請求項１または２に記載の撮像装置。
【請求項４】
前記撮影シーン判定手段が、前記撮影シーンに含まれる少なくとも二つの被写体の間に所定の距離以上の距離差があると判定した場合、前記選択手段は、フォーカスブラケット撮影を選択することを特徴とする請求項１乃至３のいずれか１項に記載の撮像装置。
【請求項５】
前記撮影シーン判定手段が前記撮影シーンのコントラストが所定のコントラストよりも高いコントラストであると判定した場合、前記選択手段は、露出ブラケット撮影を選択することを特徴とする請求項１乃至４のいずれか１項に記載の撮像装置。
【請求項６】
前記撮影シーン判定手段が前記撮影シーンの被写体または前記撮像装置が動いていると判定した場合、前記選択手段は、シャッタースピードブラケット撮影または連写撮影を選択することを特徴とする請求項１乃至５のいずれか１項に記載の撮像装置。
【請求項７】
前記撮影手段で得られた撮影画像に対して、前記複数の種類のブラケット画像処理を行うことにより、複数の画像を生成する画像処理手段を更に有することを特徴とする請求項１乃至６のいずれか１項に記載の撮像装置。
【請求項８】
前記画像処理手段は、前記選択手段により選択された前記一つのパラメータに応じて、前記ブラケット画像処理で変更される前記パラメータの種類を選択することを特徴とする請求項７に記載の撮像装置。
【請求項９】
請求項１乃至８のいずれか１項に記載の撮像装置と、
前記撮像装置に着脱可能な撮像光学系と、を有することを特徴とする撮像システム。
【請求項１０】
撮影シーンを判定する判定ステップと、
前記判定ステップにおいて判定された前記撮影シーンに基づいて、互いにパラメータの変更の仕方が異なる複数のブラケット撮影の中から、いずれかのブラケット撮影を選択する選択ステップと、
前記選択ステップにおいて選択された前記いずれかのブラケット撮影を行う撮影ステップと、を有し、
前記選択ステップでは、前記判定ステップにおいて判定された前記撮影シーンが、前記複数のブラケット撮影のうちの２種類以上のブラケット撮影に適している場合であっても、いずれか一つのブラケット撮影を選択することを特徴とする撮像装置の制御方法。
【発明の詳細な説明】
【技術分野】
【０００１】
本発明は、ブラケット撮影を行う撮像装置に関する。
【背景技術】
【０００２】
同じ撮影シーンであっても、撮像装置の撮影条件（露出、ピント位置、ＷＢなど）の設定に応じて写真の表現は様々に変化する。このため、撮影シーンに最適な撮影条件をユーザが選択することは簡単ではない。そこで、従来から、複数の被写体が混在するシーンやコントラストの高いシーンなど、撮影条件の設定が困難な撮影シーンをユーザが撮影する場合に、予め設定された露出、ピント位置、ＷＢ設定などを変更してブラケット撮影を行う撮像装置が知られている。
【０００３】
特許文献１には、ブラケット撮影が可能なデジタルカメラが開示されている。特許文献１のデジタルカメラは、複数のパラメータに基づいて同一の被写体を撮影して複数の画像を生成し、複数の画像をパラメータの段階ごとに異なるタイミングで表示する。
【先行技術文献】
【特許文献】
【０００４】
【特許文献１】特開２００６−６７４６４号公報
【発明の概要】
【発明が解決しようとする課題】
【０００５】
しかしながら、特許文献１のようにブラケット撮影に関する機能を有効活用するには、ブラケット撮影を行う際に撮影シーンに応じて適切なパラメータを設定する必要がある。このため、ブラケット撮影の際には煩雑な設定や高度な知識が必要とされ、撮影シーンに適したブラケット撮影を行うことは困難である。
【０００６】
そこで本発明は、煩雑な設定や高度な知識を必要とすることなく、撮影シーンに適したブラケット撮影が可能な撮像装置、撮像システム、および、撮像装置の制御方法を提供する。
【課題を解決するための手段】
【０００７】
本発明の一側面としての撮像装置は、撮影シーンを判定する撮影シーン判定手段と、前記撮影シーン判定手段により判定された前記撮影シーンに基づいて、互いにパラメータの変更の仕方が異なる複数のブラケット撮影の中から、いずれかのブラケット撮影を選択する選択手段と、前記選択手段により選択された前記いずれかのブラケット撮影を行う撮影手段とを有し、前記選択手段は、前記撮影シーン判定手段により判定された前記撮影シーンが、前記複数のブラケット撮影のうちの２種類以上のブラケット撮影に適している場合であっても、いずれか一つのブラケット撮影を選択する。
【０００８】
本発明の他の側面としての撮像システムは、前記撮像装置と、前記撮像装置に着脱可能な撮像光学系とを有する。
【０００９】
本発明の他の側面としての撮像装置の制御方法は、撮影シーンを判定する判定ステップと、前記判定ステップにおいて判定された前記撮影シーンに基づいて、互いにパラメータの変更の仕方が異なる複数のブラケット撮影の中から、いずれかのブラケット撮影を選択する選択ステップと、前記選択ステップにおいて選択されたいずれかのブラケット撮影を行う撮影ステップとを有し、前記選択ステップでは、前記判定ステップにおいて判定された前記撮影シーンが、前記複数のブラケット撮影のうちの２種類以上のブラケット撮影に適している場合であっても、いずれか一つのブラケット撮影を選択する。
【００１０】
本発明の他の目的及び特徴は、以下の実施例において説明される。
【発明の効果】
【００１１】
本発明によれば、煩雑な設定や高度な知識を必要とすることなく、撮影シーンに適したブラケット撮影が可能な撮像装置、撮像システム、および、撮像装置の制御方法を提供することができる。
【図面の簡単な説明】
【００１２】
【図１】本実施例における撮像装置のブロック図である。
【図２】本実施例におけるブラケット撮影処理のフローチャートである。
【図３】本実施例におけるパラメータを選択するアルゴリズムのフローチャートである。
【図４】本実施例におけるブラケット処理により生成される画像群の一例である。
【図５】本実施例におけるブラケット画像処理のフローチャートである。
【図６】本実施例における画像処理の経路の決定を説明するための図である
【図７】本実施例における色効果処理のフローチャートである。
【図８】本実施例における撮影画像から生成した輝度、彩度および色相のヒストグラムの例である。
【発明を実施するための形態】
【００１３】
以下、本発明の実施例について、図面を参照しながら詳細に説明する。各図において、同一の部材については同一の参照番号を付し、重複する説明は省略する。
【００１４】
まず、図１を参照して、本実施例における撮像装置の構成について説明する。図１は、撮像装置１００のブロック図である。撮像装置１００において、１は撮像光学系である。撮像光学系１は、ズーム用レンズ１ａおよびフォーカスレンズ１ｂ（測距用レンズ）などの複数のレンズ群、および、絞り機構１ｃを備えて構成される。
【００１５】
２は、ＣＣＤやＣＭＯＳなどを備えて構成される撮像素子である。撮像素子２は、撮像光学系１を介して得られた被写体像（被写体像）に対して光電変換を行うことにより電気信号（アナログ信号）を生成する。撮像素子２には、アナログ信号をデジタル信号に変換するＡ／Ｄ変換器が含まれている。また、撮像素子２の表面は、例えばベイヤー配列のようなＲＧＢカラーフィルタにより覆われ、カラー撮影が可能に構成されている。被写体像が撮像素子２上で結像されると、画像データ（画像信号）が生成され、メモリ３に記憶される。３はメモリであり、撮像素子２により生成された画像信号や各種画像処理に必要なデータを保持する。
【００１６】
４は、メモリ３に保持された画像信号に対して所定の画素補間処理や色変換処理などの各種画像処理を行う画像処理回路（画像処理手段）である。画像処理回路４は、撮像して得られた画像データを用いて所定の演算処理を行い、得られた演算結果に基づいて撮影条件を決定し、システム制御部５に撮影条件を通知する。また画像処理回路４は、画像の解析、フィルタ処理、合成処理などの機能を有し、後述するアルゴリズムに従って、撮影シーンに適したブラケット画像処理を選択するブラケット処理選択部を含む。
【００１７】
５は、撮像装置１００の全体を制御するシステム制御部である。システム制御部５は、画像処理回路４により決定された撮影条件で撮影を行うため、露光量制御部６、フォーカスレンズ制御部７、および、焦点距離制御部８を制御して、シャッター速度、絞り機構、フォーカスレンズ、および、ズームレンズの制御を統括する。またシステム制御部５は、後述のように、撮影シーン判定手段、選択手段、および、撮影手段を備える。
【００１８】
６は、撮像光学系１の絞り機構１ｃ、撮像素子２の露光時間および撮影感度を調整し、適切な露光量制御を行う露光量制御手段である。７は、撮像光学系１のフォーカスレンズ１ｂを制御するフォーカスレンズ制御部である。８は、撮像光学系１のズーム用レンズ１ａを制御する焦点距離制御部であり、システム制御部５の指示に基づいて焦点距離を変更する。
【００１９】
９は、メモリ３に保持された画像をＪＰＥＧ画像などに圧縮する圧縮回路である。圧縮回路９により生成された画像（圧縮画像）は、記録媒体１０に記録される。１１は、画像処理回路４により生成された撮影画像をメモリ３から読み出し、撮像装置１００に設けられたＬＣＤや外部モニタなどに表示する表示部である。
【００２０】
本実施例において、撮像装置１００は、撮像素子２を有する撮像装置本体と撮像光学系１とが一体的に構成されている。ただし本実施例は、これに限定されるものではなく、撮像装置本体に着脱可能な撮像光学系を撮像装置本体に取り付けて構成される撮像システムにも適用可能である。
【００２１】
次に、図２を参照して、本実施例の撮像装置１００により行われるブラケット撮影処理のアルゴリズムについて説明する。図２は、ブラケット撮影処理のフローチャートである。図２の各ステップは、主にシステム制御部５の指令に基づいて実行される。
【００２２】
まずステップＳ１００において、システム制御部５（撮影シーン判定手段）は、撮影シーンを解析（判定）する。撮影シーンの判定は、電子ビューファインダ（ＥＶＦ）への動画の表示中（撮影待機中）に行われる。具体的には、本実施例において、撮影シーンを解析するため、まずステップＳ１０１において、この動画から、顔検出による人物検出や主要被写体検出などにより被写体を検出する。そしてステップＳ１０２において、撮像装置１００または被写体の動きを検出する。またステップＳ１０３において、電子ビューファインダ（ＥＶＦ）表示画像のヒスト解析を行う。そしてステップＳ１０４において、フォーカススキャンを行う。システム制御部５は、ステップＳ１０１〜Ｓ１０４にて得られた被写体検出結果、動き検出結果、ヒスト解析結果、および、ＡＦ情報に基づいて、撮影シーンを判定する。ただし本実施例はこれに限定されるものではなく、他の情報を利用して撮影シーンを判定してもよい。
【００２３】
続いてステップＳ１１０において、システム制御部５（選択手段）は、ステップＳ１００にて解析（判定）された撮影シーン（撮影シーン解析結果）に基づいて、適切なブラケットを選択する。すなわちシステム制御部５は、複数の種類のパラメータ（複数のブラケットの種類）から一つのパラメータ（一つのブラケット）を選択する。これにより、撮影シーン解析結果に応じて、使用するブラケット撮影の種類（ブラケット撮影時に変更されるパラメータ）が自動的に判定される。
【００２４】
本実施例において、パラメータ（ブラケットの種類）としては、例えば、露出量を変更する露出ブラケット、フォーカス位置を変更するフォーカスブラケット、ホワイトバランス係数を変更するＷＢブラケットなどがある。また、パラメータとして、撮影時のシャッタースピードを変更するシャッタースピードブラケットや、シャッターを切るタイミングをずらすタイミングブラケットなどもある。このように、本実施例では、撮影シーンに応じて複数の種類のパラメータの中から適切なパラメータが選択可能である。このためシステム制御部５は、少なくとも二つの種類のブラケット撮影の中から、いずれかのブラケット撮影を選択して行うことができる。
【００２５】
なお、ここではブラケットの種類ごとに変更するパラメータが異なる例を示したが、これに限られものではない。それぞれのブラケット撮影で複数のパラメータを変更するものであれば、複数のブラケット撮影間で、変更の対象となるパラメータが一部重複していても構わない。複数のブラケット撮影間で、パラメータの変更の仕方が異なっていればよい。
【００２６】
続いて、図３を参照して、露出ブラケット、フォーカスブラケット、および、シャッタースピードブラケットの機能（３種類のパラメータ）を有する撮像装置（カメラ）を例として、撮影シーンに適したパラメータを選択するアルゴリズムについて説明する。図３は、本実施例におけるパラメータを選択するアルゴリズムのフローチャート（一例）である。図３の各ステップは、主にシステム制御部５の指令に基づいて実行される。
【００２７】
まずステップＳ２００において、システム制御部５は、図２のステップＳ１０１により得られた被写体検出結果に基づいて被写体判定を行う。被写体判定の結果、被写体が人、モノ、その他（風景シーンなど特定の被写体が存在しないシーン）の３種類の被写体のうちのいずれであるかを判定する。被写体が人の場合にはステップＳ２０１に進み、被写体がモノの場合にはステップＳ２０５に進む。また、被写体がその他の場合にはステップＳ２０８に進む。
【００２８】
ステップＳ２０１またはステップＳ２０５において、システム制御部５は、図２のステップＳ１０２により得られた動き検出結果に基づいて動き判定を行う。動き判定の結果、撮影画角内に少なくとも一つの被写体が存在し、かつ手振れや被写体動き（動き）が生じている（すなわち撮像装置１００または被写体が動いている）と判定された場合、シャッタースピードブラケットを選択する。シャッタースピードブラケットでは、撮影時のシャッタースピードを変更して複数の撮影を実施し、被写体の動きの表現の違いや、手振れや被写体ブレによる撮影の失敗を回避することができる。なお、撮像装置１００または被写体の動きを検出する検出手段として、撮像装置１００に設けられたジャイロセンサを用い、ジャイロセンサの出力によって手振れを検出することができる。また、ＥＶＦ表示画像中の被写体をパターンマッチングなどで追尾し、その移動量を検出してもよい。
【００２９】
ステップＳ２０１またはステップＳ２０５において、被写体が静止していると判定された場合、ステップＳ２０２またはステップＳ２０６にそれぞれ進む。ステップＳ２０２またはステップＳ２０６において、システム制御部５は、図２のステップＳ１０４により得られたフォーカススキャン結果（ＡＦ情報）に基づいてフォーカス判定を行う。本実施例では、撮影画角内に含まれる被写体のそれぞれに関して、撮像装置１００から被写体までの距離、および、被写体から背景までの距離を推定する。複数の被写体が存在し、かつ、それらの距離が異なる位置関係にある場合（すなわち距離差が有る（大きい）場合）、それぞれの被写体にピントを合わせて撮影するフォーカスブラケット撮影を優先する。または、低コントラスト被写体や近接実写（マクロ）撮影時など、被写体のピント合わせが難しい撮影シーンにおいて、予め決められた複数のフォーカス位置でのフォーカスブラケット撮影を実施してもよい。
【００３０】
ステップＳ２０２にて距離差がある（大きい）場合、ステップＳ２０３に進む。一方、ステップＳ２０２にて距離差が無い（小さい）場合、ステップＳ２０４に進む。また、ステップＳ２０６にて距離差がある（大きい）場合、フォーカスブラケット撮影を選択する。一方、ステップＳ２０６にて距離差が無い（小さい）場合、ステップＳ２０７に進む。
【００３１】
ステップＳ２０３、Ｓ２０４、Ｓ２０７、または、Ｓ２０８において、システム制御部５は、図２のステップＳ１０３のヒスト解析結果に基づくヒスト判定を行う。本実施例では、ＥＶＦ表示画像中の輝度のヒストグラムを生成し、そのヒストグラムの分布からコントラスト判定を行う。ここで、コントラスト（コントラスト差）が大きく、露出設定が難しい撮影シーンであると判定された場合、露出を変更して複数の撮影を行う露出ブラケットを選択する。
【００３２】
一方、ステップＳ２０３にてコントラストが小さいと判定された場合、フォーカスブラケットを選択する。また、ステップＳ２０４、Ｓ２０７、または、Ｓ２０８にてコントラストが小さいと判定された場合、いずれのブラケット撮影も効果的でないとし、ブラケット撮影を行わない。このように、ブラケット撮影を行う必要はない撮影シーンであると判定した場合、通常の単写を行うことでブラケット撮影を行う場合と比較して撮影時間を短縮することが可能である。ただし、本実施例はこれに限定されるものではなく、必ずいずれかのブラケット項目（例えば、露出ブラケット）が選択されるように構成してもよい。この場合、例えば予め定められたブラケット撮影を行うように構成される。
【００３３】
本実施例において、撮影シーン判定手段が撮影シーンに含まれる少なくとも二つの被写体の間に所定の距離以上の距離差があると判定した場合、撮影手段はフォーカスブラケット撮影を行う。また、撮影シーン判定手段が撮影シーンのコントラストが所定のコントラストよりも高いコントラストであると判定した場合、撮影手段は露出ブラケット撮影を行う。また、撮影シーン判定手段が撮影シーンの被写体または撮像装置が動いていると判定した場合、撮影手段はシャッタースピードブラケット撮影または連写撮影を行う。
【００３４】
また本実施例において、選択手段は、撮影シーンに含まれる被写体の種類に応じて、複数の種類のパラメータから選択される一つのパラメータを変更する。また撮影手段は、選択手段によるいずれの選択条件にも当てはまらない場合、単写または予め定められたブラケット撮影を行う。
【００３５】
また本実施例において、フォーカスブラケット撮影および露出ブラケット撮影のいずれも可能な撮影シーンのとき、被写体が人の場合にはヒスト判定の結果に応じて露出ブラケット撮影を優先させる。一方、被写体がモノの場合には、フォーカスブラケット撮影を優先させる。ただし、本実施例はこれに限定されるものではない。
【００３６】
本実施例の撮像装置１００は、図３を参照して説明したアルゴリズムに従って、撮影待機中に得られた撮影シーン（撮影シーン情報）に応じて、適切なパラメータ（適切なブラケットの種類）を自動的に判定することができる。なお、本実施例における他の実施形態として、ブラケット項目の種類の組み合わせや判定条件を変更し、図３のアルゴリズムと異なる構成を採用してもよい。例えば、撮像装置１００または被写体が動いていると判定した場合、連写撮影を選択するように構成することができる。
【００３７】
なお、本実施例の撮像装置１００は、複数の被写体の距離差があり、かつ、コントラストが大きいと判定された場合に、フォーカスブラケット撮影と露出ブラケット撮影の両方を行う構成とはなっていない。このような場合は、被写体の距離差があったとしても、フォーカスブラケットは行わずに露出ブラケットのみを行う構成となっている。
【００３８】
すなわち、撮像装置１００は、２種類以上のブラケット撮影にとって適した状況下であっても、いずれか一つの種類のブラケット撮影のみを排他的に選択する構成となっている。これは、複数の種類のブラケット撮影を同時に行ってしまうと、撮影画像を記憶するために必要なメモリサイズが大きくなり、かつ、ブラケット撮影が完了するまでに要する時間が長くなってしまうためである。
【００３９】
図２のステップＳ１１０にて一つのブラケット項目が選択されると、ステップＳ１２０に進む。そしてステップＳ１２０において、システム制御部５（撮影手段）は、ステップＳ１１０にて選択された一つのパラメータの値を変更させてブラケット撮影を行う。撮影された複数の画像データは、撮像装置１００のメモリ３に格納される。
【００４０】
続いてステップＳ１３０において、画像処理回路４は、複数の画像データに対して、ブラケット画像処理を含む各種画像処理を行う。本実施例において、具体的には、まずステップＳ１３１において、画像合成処理を行う。画像処理回路４は、画像合成処理を行うことにより、露出ブラケット撮影で得られた複数の画像から高ダイナミックレンジ画像を生成する。続いてステップＳ１３２において、色変換処理を行うことにより特殊な色効果を付加する。そしてステップＳ１３３において、コントラスト変換処理によりガンマ変換を行う。またステップＳ１３４において、画像切り出し処理を行うことにより、画像のアスペクトやサイズなどを変更する。このように、画像処理回路４は、各種画像処理を行うことにより、撮影した複数の元画像から更に多くのバリエーション画像を生成するブラケット処理が可能である。
【００４１】
続いて図４を参照して、ブラケット撮影画像に対して図２のステップＳ１３０における画像処理によるブラケット処理（画像処理回路４によるブラケット処理）を行う方法について説明する。
【００４２】
図４は、ブラケット処理により生成される画像群の一例である。図４において、ブラケット１は、図２のステップＳ１１０にて選択されたパラメータ（ブラケットの種類）である。ブラケット１は、選択された１種類のパラメータに関してブラケット撮影を行い、Ｎ枚（本実施例では、露出ブラケットであってＮ＝３）の画像を撮影する。
【００４３】
図４中のブラケット２、ブラケット３は、図２のステップＳ１３０における画像処理で行われるブラケット処理である。本実施例では、ブラケット２として色味を変換する処理（色効果処理）、ブラケット３として画像の切り出しによってアスペクトを変換する処理（アスペクト変換処理）をそれぞれ設定している。これら色効果処理とアスペクト変換処理において、それぞれ３種類のバリエーション画像を生成している。すなわち、ブラケット１（露出ブラケット）に関しては、ＢｋｔＡ（−１段）、ＢｋｔＢ（±０）、ＢｋｔＣ（＋１段）の３種類の画像が生成される。ブラケット２（色効果）に関しては、Ｃｏｌｏｒ０、Ｃｏｌｏｒ１、Ｃｏｌｏｒ２の３種類の画像が生成される。ブラケット３（アスペクト変換）に関しては、Ａ０（４：３）、Ａ０ａ（１：１）、Ａ０ｂ（１６：９）の３種類の画像が生成される。このため本実施例では、最終的に、１回の撮影に対して、３×３×３＝２７種類の画像を生成することができる。したがって、ユーザは、露出、色味、アスペクトがそれぞれ異なる複数の画像の中から適した画像（最もユーザが好む画像）を選択することが可能となる。
【００４４】
このように画像処理回路４は、撮影手段で得られた撮影画像に対して、ブラケット撮影時とは異なる複数のパラメータの値を変更してブラケット画像処理を行うことにより、更に複数の画像を生成することが可能である。
【００４５】
ここで、画像処理としては、上述した処理以外にも、画像全体をぼかす処理、画像全体を歪ませる処理、画像全体のコントラストを強調する処理、あるいは、画像の収差を補正する処理など、様々な種類のものが存在する。そのため、前述の色効果やアスペクト変換などを含む画像処理の組み合わせのパターンは数多くのものが考えられ、これら全ての画像処理の組み合わせを適用してブラケット処理を行うと、大量の画像が生成されてしまうことになる。
【００４６】
そこで本実施例においては、画像処理回路４は、ブラケット撮影で得られた複数の画像に対して、どの画像処理を用いてブラケット画像処理を行うかを自動的に選択する。この自動的にブラケット画像処理の組み合わせを選択する方法について、図５乃至図８を用いて説明する。尚、以下の説明では、ブラケット撮影（ブラケット１）として露出ブラケットを選択し、ブラケット画像処理（ブラケット２、３）として色効果フィルタ処理とアスペクト変換処理を用いる場合を例に挙げて述べる。なお、露出ブラケットでは上述のように３枚の画像が生成されるものとする。
【００４７】
図５は、ブラケット画像処理のフローチャートであり、図６は、画像処理の経路の決定を説明するための図である。
【００４８】
まず、システム制御部５は、図５のステップＳ３００において、最終的に出力する画像の処理内容を決定する。例えばユーザが必要とする画像の枚数をＭ枚とした時、システム制御部５は、図６（Ａ）に示すように、ブラケットの処理の有無によって分岐する複数の処理経路Ａ〜Ｌの中から、図６（Ｂ）のようにＭ枚分の処理経路を決定する（ここでは、Ｍ＝６とする）。
【００４９】
ここで、処理経路の決定方法は、予め決められたいくつかのパターンの中から、選択されたブラケットの種類や被写体判定の結果に応じて適した経路をＭ枚分選択することとする。例えばブラケット１が露出ブラケットである場合には、例えば、図６（Ｂ）に示すように、以下のルールに従ってＭ枚の処理経路が決定される。
（１）露出オーバーの画像から生成した画像を多く選択する。
（２）露出ブラケットで得られた画像のそれぞれに対して色効果処理もアスペクト変換処理も実行しない画像を一枚ずつ残す。
なお、Ｍの値や処理経路の選択は、予めユーザが自由に指定できるような構成としても良い。
【００５０】
次に、システム制御部５は、ステップＳ３０１において、画像に付加する色効果処理の内容を決定する。色効果フィルタとは、画像全体あるいは一部分に対して、画像の色相、彩度あるいは明度を変換する処理を含む。以下に図７を用いてその詳細を説明する。
【００５１】
図７は、色効果処理のフローチャートである。本実施例において、撮像装置が備える色効果フィルタの種類はＰ種類とし、それぞれの使用確率は、フィルタ重みＷ［ｉ］（ｉ＝０、１、・・・、Ｐ）によって決定される。システム制御部５は、ステップＳ４００において、ブラケット１の種類に応じて、重みＷを変更する。例えば、ブラケット１が露出ブラケットであれば、明度を変更する色効果フィルタよりも色相や彩度を変更する色効果フィルタを優先する。つまり、ブラケット１で変更したパラメータとは別の影響を与えるパラメータを優先するように、各フィルタ重みＷ[i]に対して重み付けを行う。具体的には、ブラケット１の種類に応じて、重み付けを変更するための係数ｐ１［ｉ］（ｉ＝０、１、・・・、Ｐ）が予め用意されており、重みＷ［ｉ］とこの係数ｐ１［ｉ］を以下の式（１）で表されるように乗算することで、新たな重みＷ［ｉ］を得る。
【００５２】
Ｗ［ｉ］＝Ｗ［ｉ］×ｐ１［ｉ］  …  （１）
システム制御部５は、ステップＳ４０１において、ステップＳ４００で得られた重みＷ［ｉ］に対して、さらに被写体判定の結果に応じて、新たな係数ｐ２［ｉ］（ｉ＝０、１、・・・、Ｐ）を以下の式（２）のように乗算することで、新たな重みＷ［ｉ］を得る。この係数ｐ２［ｉ］は、例えば以下のような条件を満たすように設定される。
（３）被写体が人の場合、セピア系やソフトフォーカス系の色効果フィルタを優先しつつ、肌色の色相を大きく変更するような色効果フィルタの重みを下げる。
【００５３】
Ｗ［ｉ］＝Ｗ［ｉ］×ｐ２［ｉ］  …  （２）
システム制御部５は、ステップＳ４０２において、ステップＳ４０１で得られた重みＷ［ｉ］に対して、さらに新たな係数ｐ３［ｉ］（ｉ＝０、１、・・・、Ｐ）を下記の式３に示すように乗算することで、新たな重みＷ［ｉ］を得る。この係数ｐ３［ｉ］は、撮影画像の色分布や輝度分布に応じて設定される。
【００５４】
図８は、撮影画像から生成した輝度（Ｙ）、彩度（Ｃｈｒｏｍａ）および色相（Ｈｕｅ）のヒストグラムである。図８に示すように、ブラケット１で撮影した画像データのそれぞれから輝度、彩度、および色相のヒストグラムを生成し、その結果に応じて、新たな係数ｐ３［ｉ］（ｉ＝０、１、・・・、Ｐ）を設定する。
【００５５】
Ｗ［ｉ］＝Ｗ［ｉ］×ｐ３［ｉ］  …  （３）
係数ｐ３［ｉ］は、例えば以下のような条件を満たすように設定される。
（４）輝度のヒストグラムから撮影画像のコントラストが低いと判断された場合には、コントラスト強調処理を行う色効果フィルタを優先する。
（５）彩度のヒストグラムから撮影画像の彩度が高いと判断された場合には、彩度を強調する色効果フィルタを優先する。
（６）色相のヒストグラムから撮影画像に青の領域が多いと判断された場合には、青の彩度を強調する色効果フィルタを優先する。
【００５６】
システム制御部５は、ステップＳ４０３において、ステップＳ４０２で得られた重みＷ[i]を元に、適用する色効果フィルタを決定する。
【００５７】
色効果フィルタの決定方法は、最終的な重みＷの最も高い効果を選択しても良いし、重みＷの高い効果の中からランダムに選択するなど、重み付けを考慮しつつ、選択にある程度の意外性を持たせても良い。
【００５８】
以上のように、画像それぞれに付加すべき色効果フィルタを、ブラケット撮影の種類や撮影画像の解析結果に応じて決定することができる。
【００５９】
図５に戻り、システム制御部５は、ステップＳ３０２において、アスペクト変換処理の内容を決定する。アスペクト変換処理後の画像のアスペクト比は、アスペクト変換前の画像サイズや被写体判定の結果に基づいて決定される。例えば、被写体が人物の場合は、３：４の縦長構図を優先し、被写体が風景の場合は、１６：９の横長の構図を優先する。あるいは、予め用意されたアスペクトの中からランダムに選択しても良い。
【００６０】
そして、画像処理回路４は、ステップＳ３０３において、ステップＳ３０１で選択された色効果フィルタと、ステップＳ３０２で選択されたアスペクト比に基づいて、画像処理を実行する。
【００６１】
以上に述べたように、撮影時は複数のブラケット撮影から最適に選択された１種類のブラケット撮影を行い、続いて画像処理によって色効果やアスペクト変換処理に関するブラケット処理を行う。こうすることで、１回の撮影で複数の画像を生成し、ユーザに互いに異なる複数の画像表現を提示することができる。
【００６２】
画像処理回路４（画像処理）によるブラケット画像処理が完了すると、図２のステップＳ１４０に進む。ステップＳ１４０において、システム制御部５は、生成された画像（メモリ３に格納された画像）を表示部１１に表示する。このときユーザは、生成された画像の中から記録したい画像を選択し、記録媒体１０に保存することができる。
【００６３】
以上のとおり、本実施例の撮像装置は、撮影シーン解析結果に応じた適切なブラケット撮影を自動的に選択することにより、撮影失敗の確率を低減し、高確率でユーザに所望の画像を提供することができる。また、撮影画像に対して色効果や画像切り出しなどの複数の画像処理を組み合わせることにより、異なる複数の画像表現を有する画像を簡易に取得することが可能である。このため本実施例によれば、煩雑な設定や高度な知識を必要とせずに、撮影シーンに適したブラケット撮影が可能な撮像装置、撮像システム、および、撮像装置の制御方法を提供することができる。
【００６４】
以上、本発明の好ましい実施形態について説明したが、本発明はこれらの実施形態に限定されず、その要旨の範囲内で種々の変形及び変更が可能である。
【符号の説明】
【００６５】
１  撮像光学系
２  撮像素子
５  システム制御部
１００  撮像装置
【図１】
2014123809.tif 000003
【図２】
2014123809.tif 000004
【図３】
2014123809.tif 000005
【図４】
2014123809.tif 000006
【図５】
2014123809.tif 000007
【図６】
2014123809.tif 000008
【図７】
2014123809.tif 000009
【図８】
2014123809.tif 000010